(57)【要約】【課題】液体にかかる重力と気体にかかる重力の差を利用し、更に液体が持っている表面張力の特性を生かして液泡を生成し、液体にガス成分を効率よく飽和させることができる飽和水生成器及び飽和水又は飽和液体を生成する装置を提供する。【解決手段】ポンプや水頭差等で作られた圧力水に、気体を混合させて多く気泡を含んだ水流を作ることのできるノズル２と、前記ノズルによって噴射された気泡を多く含んだ水流を、一旦貯留できるように前記ノズルの周辺を容器で囲うことで、連続的に前記ノズルから噴射される水流を泡沫状の気泡集団（以下、液泡）に変化させることのできる液泡貯留容器３と、を有して飽和水生成器を構成している。【特許請求の範囲】
【請求項１】
ポンプや水頭差などで作られた圧力水に気体を混合させて気泡を多く含んだ水流を作ることのできるノズルと、前記ノズルによって噴射された気泡を多く含む水流を一旦貯留できるように前記ノズルの周辺を容器で囲うことで、連続的に前記ノズルから噴射される水流を泡沫状の気泡集団（以下、液泡）に変化させることのできる液泡貯留容器と、を備えていることを特徴とする飽和水生成器。
【請求項２】
請求項１に記載の飽和水生成器をタンク内に配置し、前記タンク内の気体を加圧状態に保つことで、前記タンク内の加圧状態に応じた飽和水を生成することができる加圧タンク部を備えていることを特徴とする飽和水生成装置。
【請求項３】
請求項１に記載の飽和水生成器をタンク内に配置し、前記タンク内の気体を減圧状態に保つことで、前記タンク内の減圧状態に応じた飽和水を生成することができる減圧タンク部を備えていることを特徴とする飽和水生成装置。
【請求項４】
請求項２に記載の飽和水生成装置において、供給する気体が空気以外の窒素、酸素、水素、オゾン、炭酸ガスなどを供給できるガス供給部を備えていることを特徴とする飽和水生成装置。
【請求項５】
請求項２の飽和水生成装置において、飽和水生成器をタンク内下部側に配置し、予め飽和水生成器部分が水没するように水を溜め、石油等の可燃性液体をポンプや水頭差などで圧力を加えて飽和水生成器へ供給することにより、静電気を発生させることなく前記可燃性液体に前記タンク内の気体圧力に応じた飽和液体を作ることができる水溜め部と、飽和した前記可燃性液体と水の比重差により浮上分離した前記可燃性液体を回収することができる回収孔と、を備えていることを特徴とする飽和液体生成装置。
【発明の詳細な説明】
【技術分野】
【０００１】  本発明は、所望する気体の飽和水を生成し、河川や湖沼や養殖場等において、水中の溶存酸素量を高めて水質を改善することや、汚水にオゾンガスを高濃度に飽和させて、有機物の分解、殺菌、消臭などの汚水処理や、風呂場や炊事場での洗剤の使用量を抑えることのできる微細気泡を多量に含んだ白濁水の製造や、また、炭酸ガス、酸素ガス、水素ガスを飽和溶解させて、工業用や医療用などにも使用することができる飽和水及び飽和液体を生成する生成器及び装置に関する。
【背景技術】
【０００２】  従来、液体に気体を飽和溶解させる技術として、ガス気泡を液体中に放散させる技術が知られていたが、大きな気泡径のガスは浮力が大きくて、液体（液相）中を急速上昇して表面で破裂し気相へ放散してしまうため、液体中のガスの飽和溶解度が低かった。
また、最近は微細気泡を混在させて気体の飽和溶解濃度を高めたりする技術も開発されている。
また、気体の飽和装置又は気体の溶解装置の原理などを開示している文献は極めて少なく、開示されている装置の文献は微細気泡発生装置も含め、いずれも液体と気体とを接触させることや圧力を加えて飽和溶解水を製造する技術である。【０００３】（１）気液混合液に乱流を生じさせることで、気液混合液中への気体の溶解度を高める気体溶解装置（例えば、特許文献１参照）【０００４】
【特許文献１】特開２００７−２３７００９号公報
【発明の開示】
【発明が解決しようとする課題】
【０００５】  しかしながら、上記の特許文献１に記載の従来技術は、基本的には液体と気体とを混ぜ合わせて接触させること、及び圧力を加えて気体の溶解度を高める方法なので、エネルギーの効率は従来方法と殆ど変わらないという課題があった。
【課題を解決するための手段】
【０００６】  本発明は上記課題を解決するもので、液体にかかる重力と気体にかかる重力の差を利用し、更に液体が持っている表面張力の特性を生かして液泡を生成し、省エネルギー化を図った飽和溶解する装置及び方法で、気体を多く含有させた圧力水（液）をノズルから噴射する時に、その噴射した圧力水が一旦貯留できるように形成された容器内に向かって、連続的に噴射し続けることにより、その容器内に多量の泡沫状の気泡集団（液泡）を連続的に生成させることができる。
この現象により連続的にノスルから噴射された圧力水は、液泡貯留容器内ので生成された液泡中の気体圧力に応じた飽和水に生成することができる。【０００７】本発明の請求項１に記載の飽和水生成器は、ポンプや水頭差などで作られた圧力水に気体を混合させて気泡を多く含んだ水流を作ることのできるノズルと、前記ノズルによって噴射された気泡を多く含む水流を一旦貯留できるように前記ノズルの周辺を容器で囲うことで、連続的に前記ノズルから噴射される水流を泡沫状の気泡集団（以下、液泡）に変化させることのできる液泡貯留容器と、を備えて構成されている。
この構成によって以下の作用を有する。
（１）気泡を多く含んだ水流を液泡貯留容器内に噴射することで、液泡貯留容器内の状態      が水でもない気体でもない状態になり、噴射された水は表面張力の特性により多量      の液泡が連続的に生成され、また、同時に生成された液泡は噴射された水によって      連続的に破壊される挙動を泡貯留容器内で起こすことができる。
（２）水を液泡に変化させることによって、液泡中の気体分圧に応じて、その気体を液泡      の表面水に溶解させ飽和水を作ることができる。
（３）また、水を液泡に変化させることによって、液泡の表面水に不要に過飽和溶解して      いる気体を、液泡中の気体分圧に応じて放出させることができる。【０００８】本発明の請求項２に記載の飽和水生成装置は、請求項１に記載の飽和水生成器をタンク内に配置し、前記タンク内の気体を加圧状態に保つことで、前記タンク内の加圧状態に応じた飽和水を生成することができる加圧タンク部を備えて構成されている。
この構成によって以下の作用を有する。
（１）タンク内上部の気体を所望に加圧すれば、連続的に液泡貯留容器内で生成される液      泡内の気体の圧力が、タンク内上部の気体の圧力と同じになることにより、タンク      内上部の気体の圧力に応じた飽和水を生成できる。【０００９】本発明の請求項３に記載の飽和水生成装置は、請求項１に記載の飽和水生成器をタンク内に配置し、前記タンク内の気体を減圧状態に保つことで、前記タンク内の減圧状態に応じた飽和水を生成することができる減圧タンク部を備えて構成されている。
この構成によって以下の作用を有する。
（１）水に溶解している不要な気体を、タンク内上部の気体の減圧状態に応じて除去でき      、脱気水を生成することができる。【００１０】本発明の請求項４に記載の飽和水生成装置は、請求項２に記載の飽和水生成装置において、供給する気体が空気以外の窒素、酸素、水素、オゾン、炭酸ガスなどを供給できるガス供給部を備えて構成されている。
この構成によって以下の作用を有する。
（１）水に所望するガス成分を、タンク内上部のガスの加圧状態に応じた気体を飽和させ      ることができる。
（２）請求項３に記載した飽和水生成装置で脱気処理された水に、所望するガス成分を溶      解させれば、他のガス成分を含んでいない所望するガス飽和水を作ることができる      。【００１１】本発明の請求項５に記載の飽和液体生成装置は、請求項２の飽和水生成装置において、飽和水生成器をタンク内下部側に配置し、予め飽和水生成器部分が水没するように水を溜め、石油等の可燃性液体をポンプや水頭差などで圧力を加えて飽和水生成器へ供給することにより、静電気を発生させることなく前記可燃性液体に前記タンク内の気体圧力に応じた飽和液体を作ることができる水溜め部と、飽和した前記可燃性液体と水の比重差により浮上分離した前記可燃性液体を回収することができる回収孔と、を備えて構成されている。
この構成によって以下の作用を有する。
（１）可燃性液体を水中で処理することにより、静電気の発生を抑えることができる。
（２）可燃性液体中にタンク内の加圧状態に応じた気体量を飽和させることができる。
【発明の効果】
【００１２】本発明の請求項１に記載の飽和水生成器によれば、以下のような効果を有する。
（ａ）例えば、空気を用いて水を液泡の状態にするだけで、空気成分の分圧に応じて飽和      するので、水生生物にとって生息しやすい水を作れる。
（ｂ）供給した気体成分を効率良く水に飽和させることができるので、経済性や省エネル      ギー性及び汎用性に優れている。【００１３】本発明の請求項２に記載の飽和水生成装置によれば、以下のような効果を有する。
（ａ）水や液体に、多量の気体を簡単に飽和溶解させることができるので、例えば、風呂      場や炊事場での洗剤の使用量を抑えることのできる微細気泡を多量に含んだ白濁水      の製造装置や、化学工場においては接触酸化やガス除去等の処理装置や、また、魚      介類の養殖場においては残餌・糞などを浮上分離させて除去する装置及び酸素供給      の装置として提供することができる。【００１４】本発明の請求項３に記載の飽和水生成装置によれば、以下のような効果を有する。
（ａ）水生生物にとって不要なガスが溶存している水を、減圧下の中で液泡を生成できる      ことにより、効率良く不要ガスを放出させて脱気水を作ることができる。【００１５】本発明の請求項４に記載の飽和水生成装置によれば、以下のような効果を有する。
（ａ）例えば、水素ガスを水に高濃度に飽和させた洗浄水の製造や、窒素ガスを水に高濃      度に飽和させた不活性水の製造などの機能水を製造することができる。
（ｂ）汚水にオゾンガスを高濃度に飽和させて、有機物の分解、殺菌、漂白、消臭などの      汚水処理工程に使用することができる。
（ｃ）また、温泉場などにおいて、純酸素ガスや二酸化炭素をお湯に飽和させて、のぼせ      防止や血行促進などの機能を持たせたお湯を生成することができる。【００１６】本発明の請求項５に記載の飽和液生成装置によれば、以下のような効果を有する。
（ａ）例えば、石油等の可燃性液体に、燃焼効率の上がる酸素ガスを多量に飽和させるこ      とにより、燃焼効率に優れた可燃性液体を作ることができる。
（ｂ）ポンプ動力を使用せず、水頭差による圧力液でも稼動させることができるので、更      に静電気の発生を抑制することができ、安全性を高めることができる。
【発明を実施するための最良の形態】
【００１７】（実施の形態１）
以下、本発明の実施の形態１の飽和水生成器について、以下図面を参照しながら詳細に説明する。
図１（ａ）は本発明の実施の形態１における飽和水生成器であり、１は飽和水生成器、２は圧力水に気体を混合させ気泡を多く含んだ水流（以下、気泡含有水流Ｗｘ）を作ることのできるノズル、３はノズル２から噴射された気泡含有水流Ｗｘを一旦貯留できるようにノズル２の周辺を容器で囲った液泡貯留容器である。
図１（ｂ）は飽和水生成器１に実際に圧力水Ｗを供給した時に、エジェクタ方式のノズル２の縮径部分に発生する負圧Ｄ１により気体自吸パイプ２ａから気体Ｘが自吸され、気泡を多く含んだ水流がノズル２から液泡貯留容器３内に噴射され、液泡貯留容器３内に液泡が生成される様子を示した模式図である。
右上の（ａ．ｆ）はその液泡貯留容器３内で生成された液泡の拡大図で、噴射された気泡含有水流Ｗｘ中の水Ｗは液泡の表面水ＷＦに一瞬変化していることを示しています。
しかし、液泡に変化した後の液泡は、連続的に噴射されている気泡含有水流Ｗｘによって直ちに破壊されることになります。従って、液泡貯留容器３内に連続的に気泡を多く含んだ水流を噴射することで、液泡は連続的に生成されるが、同時に破壊されることになります。
結果的に連続的に供給された気泡含有水流Ｗｘは、図中のように飽和水１Ｗと浮上気体ｘ１とに分離し、液泡貯留容器３の外にそれぞれ連続的に排出されることになります。
図１（ｃ）は飽和水生成器１を水槽内に配置し、ポンプ４に接続させた飽和水生成装置の模式図である。
大気圧下で水槽内の水Ｗを飽和水にする装置であり、ポンプ４を稼動させることで水槽内の水Ｗをポンプ４により吸水し、パイプやホース等を介して水中に配置された飽和水生成器１に、圧力が加えられた水Ｗを供給することができます。
この時、ノズル２の縮径部分に発生する負圧Ｄ１により、気体自吸パイプ２ａから水面上部の気体Ｘが供給されることで、ノズル２から気泡を多く含んだ水流を液泡貯留容器部３内に噴射することができます。Ｖ０は気体自吸パイプ２ａから気体Ｘの自吸量を調整できる自吸量調整バルブである。【００１８】  図２（ａ）は、図１（ｃ）の装置内のノズル２部分に、中空器体を用いた旋回流方式のノズル２を取り付けた飽和水生成装置であり、ノズル部分は図１（ｃ）と同様にノズル２と表示する。
図の水槽中右側に記載した側面図にはポンプ４からの圧力水Ｗが、中空器体の接線方向２ｂから供給されることによって、中空器体内に旋回流Ｗａが発生し負圧軸Ｄ２が形成される。このことにより気体自吸パイプ２ａから水面上部の気体Ｘを自吸することができ、ノズル２の先端から気泡を多く含んだ水流を液泡貯留容器部３内に噴射することができる。この時の液泡貯留容器３内の液泡の生成の様子は、前記図１（ｂ）の飽和水生成器とほぼ同じである。【００１９】  図２（ｂ）は、中空器体中に旋回流Ｗａが発生する旋回流方式のノズルですが、中空器体の両端に噴出口があり、気泡含有水流Ｗｘを左右の液泡貯留容器３内に噴射することができるタイプで、両端に噴出口があるのでポンプ４からの圧力水Ｗを多く供給するができ、水中だけではなく空中においても、液泡の生成量は若干少ないようですが飽和水を作ることができます。また、気体自吸パイプ２ａからの気体Ｘの自吸量が少ない場合には、気体自吸パイプ２ａにエアポンプを接続することで、気体Ｘの供給量を増やすこともできます。
前記の両端に噴出口がある旋回流方式の飽和水生成器を用いて、飽和水生成器に水道水を直結し、純酸素ガスを気体自吸パイプ２ａから毎分７・６リットル自吸させ、水道水の溶存酸素量ＤＯの測定した結果、ワンパスで溶存酸素量ＤＯ約３２ｐｐｍ１８．７リットルの水道水を得ることができた。
また、ポンプを用いてｐＨ１２のアルカリ性液体を飽和水生成器に供給し、気体自吸パイプ２ａから炭酸ガスを自吸及び供給してｐＨの変動を測定した結果、気体自吸パイプ２ａから毎分７・０リットルの自吸する量だけではｐＨ９．８ですが、少し圧力を加えて毎分９．７リットル供給すればｐＨ７．５になり、また、毎分１４．０リットル供給するとｐＨ６．２の酸性になった。処理液量は約１６．３リットルであった。使用した飽和水生成器の各部のサイズは中空器体の内径は４５ｍｍで、接線方向２ｂからの水が供給される管径は１３ｍｍで、中空器体の両端にある噴出口はそれぞれ口径５ｍｍである。
また、発明者はノズルの部分をエジェクタ方式と旋回流方式を用いて実施したが、前記の他にアスピレターノズル、スタテックミキサーノズルなどのように、気体を含有することができるノズルであれ、図面のノズル２の部分として使用することができる。【００２０】（実施の形態２）
以下、本発明の実施の形態２の飽和液生成装置について、以下図面を参照しながら詳細に説明する。
図３（ａ）は飽和水生成器１をタンクＴ内に配置し、タンクＴ内上部の気体Ｘを加圧状態にすることで、液泡貯留容器３内に生成される液泡内の気体Ｘを同圧にすることができ、バルブＶ３より回収できる処理水１Ｗは、タンクＴ内上部の加圧状態に応じた飽和水を作ることのできる飽和水生成装置である。
まず、ポンプ４を稼動させることで水Ｗを吸水し、飽和水生成器１に圧力水を供給すると同時にポンプ４の吸水側に発生する負圧Ｄ３を利用して、バルブＶ１から気体Ｘを流量調整し、ノズル２から気泡含有水流Ｗｘが液泡貯留容器３に噴射され液泡が生成され、同時に噴射された気泡含有水流Ｗｘによって液泡は破壊される。
この時破壊された液泡の中の気体は、液泡貯留容器３から浮上気体ｘ１としてタンクＴの上部に向かって浮上し、タンクＴ内上部に気体Ｘとして溜まることになる。
この時にバブルＶ３からの処理水１Ｗの排出量と、バルブＶ１から気体Ｘを流量調整とを調整することにより、タンクＴ内を所望の加圧状態にすることができる。
また、この時タンクＴ内上部に浮上気体ｘ１によって溜まった気体Ｘは、気体自吸パイプ２ａにより飽和水生成器１に自吸供給され、浮上気体ｘ１は再利用されたことになる。
また、タンクＴ内に水位センサーＬ．Ｓを配置し、タンクＴ内の水位を感知することにより、電気的に処理水１Ｗの排出量をバルブＶ３で調整することや、タンクＴ内へ供給される気体Ｘの適量をバルブＶ１で電気的に制御することもできる。
また、タンクＴ内の加圧状態や、供給気体の種類によっては、水への飽和溶解率が変わりますので、バルブＶ１からの気体供給量では不足する場合には、別途エアポンプ５を接続しバブルＶ２で調整しながらタンクＴ内へ供給する方法でも、実施の形態２の飽和液生成装置を稼動させることができる。
また、連続的に長時間稼動させると、元々供給された水に溶存していたガス（窒素、二酸化炭素、硫化水素等）が放出しタンクＴの上部に溜まることがあり、その時はバルブＶ４を開けて、溜まった不要なガス気体ＸをタンクＴの外に放出させることにより、所望する飽和水を得ることができる。【００２１】（実施の形態３）
以下、本発明の実施の形態３の飽和液生成装置について、以下図面を参照しながら詳細に説明する。
図３（ｂ）は、飽和水生成器１をタンクＴ内に配置し、タンクＴ内上部にある気体Ｘの状態を減圧にすることで、液泡貯留容器３内に生成される液泡内の気体ＸはタンクＴ内上部と同じ減圧になり、従って、タンクＴ内上部の減圧状態に応じた飽和水を作れる飽和液生成装置である。
先ず、タンクＴ上部側に配置されたバキュウムポンプ６を稼動させて、タンクＴ内の気体Ｘを外に排出することによりタンクＴ内を減圧状態にする。
次に、水Ｗをポンプ４で吸水し減圧状態のタンクＴ内に配置された飽和水生成器１に供給することで、タンクＴ上部から減圧されている気体Ｘを、気体自吸パイプ２ａを介して飽和水生成器１に自吸させることにより、ノズル２から液泡貯留容器３内に減圧された気体Ｘで生成された気泡含有水流Ｗｘを噴射することができる。
このことによって、生成された液泡の中は減圧の気体Ｘの空間であり、図１（ｂ）の液泡の拡大図（ａ．ｆ）のように、水Ｗが液泡の表面水ＷＦになった瞬間に、表面水ＷＦに溶解していた気体成分は、拡大図（ａ．ｆ）に記載した矢印の反対方向の減圧気体Ｘ空間に向かって放出する。この現象により、ポンプ４により供給された水Ｗは、タンクＴ内上部の減圧状態に応じた飽和水にすることができる。
タンクＴ内の処理水１Ｗを回収する時は、タンクＴ内を減圧にしたままの状態での処理水１Ｗの回収は困難であり、ポンプ４とバキュウムポンプ６を停止し、バルブＶ５を開けて外の気体Ｘを入れることにより、タンクＴ内を大気圧にしバルブＶ３を開けて処理水１Ｗを回収する。
バキュウムポンプ６を稼動させたままの状態で、バルブＶ３から処理水１Ｗを回収する為には、バキュウムポンプ６よりも減圧能力の大きなポンプを用いなければタンクＴ内から回収することができない。
Ｌ．ＰはタンクＴ内で脱気処理された処理水Ｗの水量を目視で確認し、装置の稼動・停止を手動で操作できるように透明管で作られたレベルパイプである。【００２２】（実施の形態４）
以下、本発明の実施の形態４の飽和液体生成装置について、以下図面を参照しながら詳細に説明する。
図４は、タンクＴ内を加圧状態して石油等の可燃性液体を液泡に生成し、可燃性液体に空気や酸素などを飽和させる飽和液体生成装置の模式図。
実施の形態２の飽和液生成装置と同じように、タンクＴ内上部の気体Ｘを加圧状態して石油等の可燃性液体を液泡に生成することによって、タンクＴ内の気体の加圧状態に応じて飽和した可燃性液体を作る装置である。
先ず、タンクＴ内下部に水を溜められる水溜め部ＷＯを設け、ポンプ４吸引側から可燃性液体Ｇを吸引し圧力を加え、タンクＴ内下部の水溜め部ＷＯ中に配置された飽和水生成器１に可燃性液体Ｇを供給すると同時に、ポンプ４の吸引側に発生する負圧Ｄ３を利用して、バルブＶ１からポンプ４内に気体Ｘを自吸させることで、飽和水生成器１のノズル２から気体Ｘを含有した可燃性液体Ｇを噴射することができる。
この時に飽和水生成器１が水溜め部ＷＯ中に配置してあることにより、タンクＴ内に静電気を発生させることなく、可燃性液体Ｇで液泡を液泡貯留容器３内で生成できる。
液泡の表面液になった可燃性液体１Ｇは、液泡貯留容器３内から水Ｗとの比重差により、水溜め部ＷＯの上部側に浮上分離することから、回収孔のバルブＶＧによって飽和済み可燃性液体１Ｇを回収できる。
また、同時に液泡貯留容器３内から放出された浮上気体ｘ１は、水溜め部ＷＯ中から浮上し、更に飽和済み可燃性液体１Ｇの液中を浮上し、タンクＴの上部に浮上して気体Ｘとして溜まりますが、気体自吸パイプ２ａにより再び飽和水生成器１に自吸され、液泡に生成されるので浮上気体ｘ１は再利用されます。
Ｌ．ＰはタンクＴ内の水溜め部ＷＯの水位や飽和済み可燃性液体１Ｇを、目視で確認できる透明管で作られたレベルパイプである。
また、バルブＶ１からの気体供給量では不足する場合には、別途エアポンプ５を接続してバブルＶ２で気体の供給量を調整しながらタンクＴ内へ供給することも可能です。
また、タンクＴ内の上部に圧力計Ｍや水位センサーＬ．Ｓを取り付けることによって、飽和済み可燃性液体１Ｇの水位やタンクＴ内の圧力を電気的に感知することによって、バルブＶ１から気体Ｘの供給量調節や、回収孔のバルブＶＧから飽和済み可燃性液体１Ｇの回収量調節や、エアポンプ５に接続されたバブルＶ２からの気体供給量などの調節を、電気的に制御することもできる。
【産業上の利用可能性】
【００２３】（１）魚介類などを養殖する際に使われる酸素供給装置。
（２）例えば、水素ガスを溶解させて洗浄水の製造装置や、窒素ガスを溶解させて不活性      水の製造装置など、ガス溶解水の製造装置。
（３）バスタブのお湯に多量の空気や酸素や炭酸ガスなどを溶解させて、バスタブ内を白      濁湯にする浴用水の製造装置。
（４）例えば、石油等の可燃性液体に空気や酸素ガスなどを多量に溶解させて、燃焼効率      を向上させた可燃性液体の製造装置。
【図面の簡単な説明】
【００２４】
【図１】図１（ａ）は本発明の実施の形態１における飽和水生成器。図１（ｂ）は飽和水生成器１に実際に圧力水Ｗを供給した時、液泡貯留容器内の液泡の様子を示した模式図。図１（ｃ）は飽和水生成器１を水槽内に配置して、ポンプ４に接続させた飽和水生成装置の模式図。
【図２】図２（ａ）は、図１（ｃ）の装置内のノズル２部分に、中空器体を用いた旋回流方式のノズル２を取り付けた飽和水生成装置の模式図。図２（ｂ）は、旋回流方式のノズルで中空器体の両端に噴出口があるタイプの液泡貯留容器内の液泡の様子を示す模式図。
【図３】図３（ａ）は、飽和水生成器１をタンクＴ内に配置し、加圧状態にした飽和液生成装置の模式図。図３（ｂ）は、飽和水生成器１をタンクＴ内に配置し、減圧状態にした飽和液生成装置の模式図。
【図４】石油等の可燃性液体を液泡に生成し、気体を可燃性液体に飽和溶解させる飽和液体生成装置の模式図。
【符号の説明】
【００２５】１      飽和水生成器
２      ノズル
２ａ    気体自吸パイプ
２ｂ    中空器体の接線方向
３      液泡貯留容器
３ａ    吸盤３の後部側
４      ポンプ
５      エアポンプ
６      バキュウムポンプ
Ｄ１    負圧１
Ｄ２    負圧２
Ｄ３    負圧３
Ｇ      可燃性液体
１Ｇ    飽和済み可燃性液体
Ｌ．Ｐ  レベルパイプ
Ｌ．Ｓ  水位センサー
Ｔ      タンク
Ｖ０    自吸量調整バルブ
Ｖ１    バルブ１
Ｖ２    バルブ２
Ｖ３    バルブ３
Ｖ４    バルブ４
Ｖ５    バルブ５
ＶＧ    回収孔のバルブ
Ｗ      水
ＷＯ    水溜め部
Ｗａ    旋回流
ＷＦ    表面水
Ｗｘ    気泡含有水流
１Ｗ    飽和水
Ｘ      気体
ｘ１    浮上気体
【図１】
2011101827.tif 000002
【図２】
2011101827.tif 000003
【図３】
2011101827.tif 000004
【図４】
2011101827.tif 000005